(57)【特許請求の範囲】
【請求項１】
複数枚の控付きクーポン券が重ねて綴じ合わされたクーポン冊子において、
それぞれのクーポン券には、少なくとも、クーポン券本体を控から切り離すための切り離し予定部が形成され、クーポン券本体にはクーポン券本体の一コーナーを切り取るためのミシン目状の切込みが形成され、
切り取られるコーナー部にはクーポンＩＤが表示され、
クーポン冊子の最上券の上に、少なくとも送付用の宛名情報及びクーポン券に関連する関連情報が表示された宛名紙片が綴じ合わされたことを特徴とする宛名紙片付きクーポン冊子。
【請求項２】
請求項１に記載の宛名紙片付きクーポン冊子の使用方法であって、
少なくとも、宛名紙片付きクーポン冊子の宛名紙片に表示された宛名情報が窓開き封筒
の窓から見える状態で挨拶文やチラシと一緒に窓開き封筒に封入されるステップと、
宛名紙片付きクーポン冊子が送付先に届けられるステップと、
送付先でクーポン券本体が控から切り離されるステップと、
切り離されたクーポン券本体が第三者に渡されるステップと、クーポン券本体が使用される際に利用先でクーポン券本体のコーナー部が切り取られるステップと、からなることを特徴とする宛名紙片付きクーポン冊子の使用方法。
【発明の詳細な説明】
【技術分野】
【０００１】
本発明は、宛名紙片が綴じ合わされた宛名紙片付きクーポン冊子及び宛名紙片付きクーポン冊子の使用方法に関する。
【背景技術】
【０００２】
従来、単なるクーポン冊子，クーポン冊子に表表紙及び裏表紙を形成したクーポン冊子、さらに、これら冊子を一体的に包装したクーポン冊子が提供されている。
例えば、上記クーポン冊子を一体的に包装したクーポン冊子は、封筒上片と封筒下片との３周辺側が接着されてなる封筒において、封筒上片は透明または半透明のシートからなり、この封筒内にクーポン表表紙、クーポン裏表紙、クーポンの順に積み重ね合わされてなる小冊子が挿入されてなると共に、小冊子の一端が封筒端部に接着され、この接着部分の近傍の小冊子または封筒に小冊子引出し用の切取りミシン目が設けられたクーポン冊子である（例えば、特許文献１参照）。
【０００３】
また、複数の紙片を一端で綴じ合わせたクーポン冊子が提供されている。
上記クーポン冊子は、複数のクーポン紙片における最上位または最下位の紙片の一端側を最下位または最上位の紙片に折り重ねて一体に綴じ合わすとともに、この綴じ合わせ部分のクーポン紙片の表裏面の少なくとも一方の表出面に所定幅に及んで着色した着色部を設けたクーポン冊子である（例えば、特許文献２参照）。
【０００４】
【特許文献１】実開昭５５−２５９７０号公報
【特許文献２】実開平５−７０９６９号公報
【発明の開示】
【発明が解決しようとする課題】
【０００５】
特許文献１に記載のクーポン冊子は、クーポン、クーポン裏表紙、クーポン表表紙など必要部分が全て封筒内に内包されており、これにより連続形態として用いる場合にも、プリンタのフィード機構に引掛ることなくスムーズにフィードされると共に、必要な情報を確認しながらプリントでき、プリントした後はクーポン両表紙を付したり、袋に入れたりする必要がなく、プリント後直ぐに利用者に手渡す場合にも、クーポンの印字内容が見えるので間違いなく手渡すことができるなど、事務処理が簡便に行え、複数枚からなる国際線の航空クーポン、その他特定可変情報を記載する表紙付切取り票などの使用に便利であるとしている。
また、特許文献２に記載の冊子は、最上位または最下位の紙片が従来のクロスを兼ねるので、綴じ合わせ端を保護し得る一方、冊子を構成する紙片の枚数が少なくてすみ、構成が簡潔になるとともに作成が容易であり、また、着色部を設けることで従来のクロス綴じと同様の外観を有するので体裁を損なうことがないとしている。
【０００６】
そこで本発明の宛名紙片付きクーポン冊子及び宛名紙片付きクーポン冊子の使用方法は、クーポン冊子の最上券の上に宛名紙片が綴じ合わされ、さらに、表表紙，裏表紙を有することによって、窓開き封筒に封入する際に宛名紙片と、クーポン冊子の照合を行う必要が無い宛名紙片付きクーポン冊子及び宛名紙片付きクーポン冊子の使用方法を提供することを目的とする。
【課題を解決するための手段】
【０００７】
前記課題の目的を達成するために、本発明の宛名紙片付きクーポン冊子の第一の態様は、複数枚の控付きクーポン券が重ねて綴じ合わされたクーポン冊子において、それぞれのクーポン券には、少なくとも、クーポン券本体を控から切り離すための切り離し予定部が形成され、クーポン券本体にはクーポン券本体の一コーナーを切り取るためのミシン目状の切込みが形成され、切り取られるコーナー部にはクーポンＩＤが表示され、クーポン冊子の最上券の上に、少なくとも送付用の宛名情報及びクーポン券に関連する関連情報が表示された宛名紙片が綴じ合わされたことを特徴とするものである。
【００１１】
また、第二の態様は、第一の態様の宛名紙片付きクーポン冊子の使用方法であって、
少なくとも、宛名紙片付きクーポン冊子の宛名紙片に表示された宛名情報が窓開き封筒の窓から見える状態で挨拶文やチラシと一緒に窓開き封筒に封入されるステップと、
宛名紙片付きクーポン冊子が送付先に届けられるステップと、
送付先でクーポン券本体が控から切り離されるステップと、
切り離されたクーポン券本体が第三者に渡されるステップと、クーポン券本体が使用される際に利用先でクーポン券本体のコーナー部が切り取られるステップと、からなることを特徴とするものである。
【発明の効果】
【００１２】
従来は、窓開き封筒などに、クーポン冊子と宛名情報をプリントした紙片（宛名紙片）を照合しながら封入しなければならなかった。また、さらに、チラシや、挨拶文などの同封物が必要な場合は、封入装置のユニットを適宜増やす必要があった。
本発明の宛名紙片付きクーポン冊子によって、上述の照合作業は不要となり、その分封入物の種類を増やすことが可能になった。
その結果、クーポン冊子と宛名紙片のアンマッチによる封入ミスがなくなり、また、宛名紙片を封入する分他の封入物を自動で封入することができ、封入コストの削減を可能にした。
【発明を実施するための最良の形態】
【００１３】
以下、図面を参照して本発明の宛名紙片付きクーポン冊子及び宛名紙片付きクーポン冊子の使用方法について説明する。
図１は、本発明の宛名紙片付きクーポン冊子の一例について説明するための図，図２は、本発明の宛名紙片付きクーポン冊子を分解した状態の一例について説明するための図，図３は、図１のＡ−Ａ線断面図，図４は、本発明の宛名紙片付きクーポン冊子の封入方法の一例について説明するための図，図５は、従来のクーポン冊子の封入方法の一例について説明するための図，である。
【００１４】
図１を参照して、本発明の宛名紙片付きクーポン冊子について説明する。
本発明の宛名紙片付きクーポン冊子１は、図示しないが、複数枚の控付きクーポン券が重ねて綴じ合わされたクーポン冊子である。
また、前記宛名紙片付きクーポン冊子１の最上券（図示せず）の上には、受取人の住所，氏名などの送付用の宛名情報２、および、綴じられたクーポン券がどのようなクーポン券なのかを示す関連情報１１１が表示された宛名紙片１１が綴じ合わされている。
宛名紙片付きクーポン冊子１の宛名紙片１１には、前記宛名情報２，関連情報１１１以外に、クーポン券であることを示すデザインや文字などの印刷（図示せず）が施されている。
また、宛名紙片付きクーポン冊子１の最上券と宛名紙片１１の間に表表紙紙片が重ねて綴じ合わされる場合もある。
また、クーポン冊子の最下券の下には、さらに、裏表紙紙片が綴じ合わされる場合もある。
宛名紙片付きクーポン冊子１は、窓開き封筒に封入されて送付される。宛名紙片付きクーポン冊子１が窓開き封筒に封入されたときに、前記宛名情報２がプリンタなどによって、窓開き封筒の窓から読み取れる位置に表示される。
【００１５】
また、図示しないが、それぞれのクーポン券には、クーポン券本体を控から切り離すための切り離し予定部が宛名紙片付きクーポン冊子１の綴じ合わせ部の近くに形成されている。また、図示しないが、クーポン券本体の一コーナーを切り取るためのミシン目状の切込みが形成され、切り取られるコーナー部にはクーポンＩＤが表示されている。
【００１６】
図２の宛名紙片付きクーポン冊子の分解図を参照して、宛名紙片付きクーポン冊子の一例について説明する。
本発明の宛名紙片付きクーポン冊子１は、複数枚（図では５枚）のクーポン券の最上部に宛名紙片１１が、さらに、クーポン券の最上部１２と宛名紙片１１の間にはクーポン券の表表紙紙片１３が、クーポン券の最下部には裏表紙紙片１４が、重ねられて綴じ合わされている。クーポン券の表表紙紙片１３には、クーポン券本体１２２に表示されている光学読取り文字によるクーポンＩＤ１２２１とバーコードによるクーポンＩＤ１２２２がプリンタなどによって表示されている。
宛名紙片付きクーポン冊子１には、最上部の宛名紙片１１に受取人の住所，氏名などの送付用の宛名情報２、および、綴じられたクーポン券がどのようなクーポン券なのかを示す関連情報が表示されている。
【００１７】
クーポン券１２は、クーポン券本体１２２と控１２１で構成される。クーポン券本体１２２と控１２１の間には、ミシン目状の切込みなどによる切り離し予定部３が形成されている。
さらに、クーポン券１２のクーポン券本体１２２には、光学読取り文字によるクーポンＩＤ１２２１が、また、バーコードによるクーポンＩＤ１２２２がプリンタなどによって表示されている。
クーポン券本体１２２と控１２１の間には、切り離し予定部３がミシン目状の切込みなどにより形成されている。
【００１８】
クーポン券本体１２２の右下コーナー部には、短辺、長辺に平行な切取り用のミシン目状の切込み４が形成されていて、前述のバーコードによるクーポンＩＤが表示されたコーナー部を切り取るようになっている。
切り取られたコーナー部は回収され、保管される。
クーポン券本体１２２と控１２１の表面には、セキュリティを高めるための図柄印刷が施され、裏面には注意文言など文字による印刷が施されている。
図示しないが、クーポン券の控１２１には、大切に保管するよう記載された文面が印刷されている。
【００１９】
また、図示しないが、クーポン券１２，表表紙紙片１３，裏表紙紙片１４，宛名紙片１１は、控の左側で、背糊，ライングリュー，針金などによって綴じ合わされている。
【００２０】
図３を参照して、図１のＡ−Ａ線断面図について説明する。
本発明の宛名紙片付きクーポン冊子１は、宛名紙片１１，複数枚の控付きクーポン券１２，クーポン券表表紙紙片１３，クーポン券裏表紙紙片１４が重ねて綴じ合わされたクーポン冊子である。
宛名紙片付きクーポン冊子１の最上部宛名紙片１１の上には、受取人の住所，氏名などの送付用の宛名情報２、および、綴じられたクーポン券がどのようなクーポン券なのかを示す関連情報１１１が表示されている。
【００２１】
また、それぞれのクーポン券本体には、クーポンＩＤ１２２１，１２２２が表示されている。
また、それぞれのクーポン券本体と控の間には、切込みによる切り離し予定部３が、クーポン券本体の右端には、切取り用のミシン目状の切込み４が形成されている。
そして、宛名紙片１１，クーポン券１２，表表紙紙片１３，裏表紙紙片１４は、左側綴じ部５で背糊，ライングリュー，針金などによって綴じ合わされている。
【００２２】
図４を参照して、本発明の宛名紙片付きクーポン冊子の封入方法の一例について説明する。
クーポン冊子は、挨拶文６やチラシ７などと一緒に、窓開き封筒８に封入されて送付される。窓開き封筒への封入には、通常、封入封緘装置が使用される。
封入封緘装置は、図４に示す例では、まず、最初のユニットで挨拶文６がフィードされ、次のユニットでチラシ７がフィードされて挨拶文６の上に重ねられる。
最後のユニットで宛名紙片付きクーポン冊子１がフィードされてチラシ７の上に重ねられる。
重ねられたチラシ７，挨拶文６，宛名紙片付きクーポン冊子１が纏めて窓開き封筒８に封入される。窓開き封筒の窓からは宛名紙片付きクーポン冊子１の宛名が読み取れる状態になっている。
図４に示す封入封緘装置の場合は３種類の封入物に対応している。
【００２３】
図５を参照して、従来のクーポン冊子の封入方法の一例について説明する。
図５に示す例では、まず、封入封緘装置の最初のユニットで挨拶文６がフィードされ、次のユニットでチラシ７がフィードされて挨拶文６の上に重ねられる。
次のユニットでクーポン冊子１００がフィードされてチラシ７の上に重ねられる。
最後のユニットで、宛名情報印字紙片９がクーポン冊子１００の上に重ねられる。
重ねられたチラシ７，挨拶文６，クーポン冊子１，宛名情報印字紙片９が纏めて窓開き封筒８に封入される。窓開き封筒の窓からは宛名情報印字紙片付の宛名が読み取れる状態になっている。
図５に示す封入封緘装置の場合は４種類の封入物に対応している。
【００２４】
図４、図５に示す例では、窓開き封筒の窓が上側になっているために、封入順序を上述のようにしたが、窓開き封筒の窓が下向きになっている場合は、封入物の順序を逆にし、宛名紙片、または、宛名情報印字紙片の宛名情報を下向きにして封入する。
図４の３種類の封入物に対応する封入封緘装置のみを保有する業者は、図５の使用に対しては一種類は手作業で封入しなければならない。
【００２５】
図２を一部参照して、宛名紙片付きクーポン冊子の使用方法の一例について説明する。
宛名紙片付きクーポン冊子１は、図４で説明したように、宛名紙片付きクーポン冊子１の宛名紙片１１に表示された宛名情報が窓開き封筒の窓から見える状態で挨拶文やチラシと一緒に窓開き封筒に封入される。
宛名紙片付きクーポン冊子１が送付先に届けられると、受取人は、窓開き封筒を開封してクーポン冊子を取り出す。
引き離し予定部３でクーポン券本体１２２を切り離し、切り離されたクーポン券本体１２２を第三者に送付手段などによってプレゼントする。宛名紙片付きクーポン冊子１の控はそのまま保管する。
第三者は、クーポン券本体１２２を商店に持参して提示する。
商店では、クーポン券本体の右端の切込み４でコーナー部を切取り、切り取ったコーナー部は保管し、クーポン券本体は第三者に返却する。第三者は、後日キャッシュバックの請求書を郵送で受け取り郵便局などで現金化する。
【産業上の利用可能性】
【００２６】
本発明の宛名紙片付きクーポン冊子は、キャンペーン期間中などで使用される郵送クーポン冊子に利用できる。
【図面の簡単な説明】
【００２７】
【図１】本発明の宛名紙片付きクーポン冊子の一例について説明するための図である。
【図２】本発明の宛名紙片付きクーポン冊子を分解した状態の一例について説明するための図である。
【図３】図１のＡ−Ａ線断面図である。
【図４】本発明の宛名紙片付きクーポン冊子の封入方法の一例について説明するための図である。
【図５】従来のクーポン冊子の封入方法の一例について説明するための図である。
【符号の説明】
【００２８】
１      宛名紙片付きクーポン冊子
２      宛名情報
３      切り離し予定部
４      ミシン目状切込み
５      綴じ合わせ部
６      挨拶文
７      チラシ
８      窓開き封筒
９      宛名情報印字紙片
１１    宛名紙片
１２    クーポン券
１３    クーポン券表表紙紙片
１４    クーポン券裏表紙紙片
１００  クーポン冊子
１１１  関連情報
１２１  控
１２２  クーポン券本体
１２２１  光学読取り文字によるクーポンＩＤ
１２２２  バーコードによるクーポンＩＤ
【図１】
0005245382.tif 000002
【図２】
0005245382.tif 000003
【図３】
0005245382.tif 000004
【図４】
0005245382.tif 000005
【図５】
0005245382.tif 000006